(57)【要約】【課題】本発明は、管理の利便性を向上させることができる昇降機監視システムを得ることを目的とするものである。【解決手段】昇降機制御装置群１からの昇降機状態情報は、サーバ装置２を介して監視装置群３に送信される。監視装置群３には、複数の監視装置が含まれている。監視装置は、状態データに基づいて昇降機の状態を表示する。サーバ装置２は、昇降機と監視装置とを対応付けるための対応情報を有し、昇降機制御装置から状態データを受けると、対応情報に基づいて、対応する監視装置に状態データを送信する。【選択図】図１
2007168973.tif 000002
【特許請求の範囲】
【請求項１】
昇降機の状態データを出力する複数の昇降機制御装置、
上記状態データに基づいて上記昇降機の状態を表示する複数の監視装置、及び
上記昇降機と上記監視装置とを対応付けるための対応情報を有し、上記昇降機制御装置から上記状態データを受けると、上記対応情報に基づいて、対応する監視装置に上記状態データを送信するサーバ装置
を備えていることを特徴とする昇降機監視システム。
【請求項２】
上記昇降機制御装置は、上記昇降機を識別するための昇降機識別情報を上記状態データとともに出力し、
上記サーバ装置は、上記昇降機識別情報に対応する監視装置に上記状態データを送信することを特徴とする請求項１記載の昇降機監視システム。
【請求項３】
昇降機の状態データを出力する複数の昇降機制御装置、
上記昇降機の複数の非常用インターホンに接続され、上記非常用インターホンの通話状態を示す通話データを出力するインターホンユニット、
上記状態データに基づいて上記昇降機の状態を表示するとともに、上記通話データに基づいて上記非常用インターホンの通話状態を表示する複数の監視装置、
上記非常用インターホンと上記監視装置とを対応付けるための対応情報を有し、上記インターホンユニットから上記通話データを受けると、上記対応情報に基づいて、対応する監視装置に上記通話データを送信するサーバ装置
を備えていることを特徴とする昇降機監視システム。
【請求項４】
上記インターホンユニットは、上記非常用インターホンを識別するためのインターホン識別情報を上記通話データとともに出力し、
上記サーバ装置は、上記インターホン識別情報に対応する監視装置に上記通話データを送信することを特徴とする請求項３記載の昇降機監視システム。
【請求項５】
上記監視装置には、対応する非常用インターホンの通話状態を表示するインターホン状態表示ボタンが表示されているとともに、上記非常用インターホンと通話をするための受話器が設けられており、
上記監視装置は、上記インターホン状態表示ボタンを選択することにより、上記インターホン状態表示ボタンに対応する非常用インターホンと上記受話器との通話状態を切り替えるための通話情報を入力可能となっており、
上記監視装置に入力された通話情報は、上記サーバ装置を介して上記インターホンユニットに送られ、これにより対応する非常用インターホンと上記受話器との通話状態が切り替えられことを特徴とする請求項３又は請求項４に記載の昇降機監視システム。
【請求項６】
上記サーバ装置は、上記インターホンユニットから上記通話データを受けると、対応する監視装置と他の監視装置とに異なる優先度情報を付加した上記通話データを送信し、
上記監視装置は、上記優先度情報に応じて上記非常用インターホンの通話状態を表示することを特徴とする請求項３〜請求項５のいずれかに記載の昇降機監視システム。
【請求項７】
上記サーバ装置は、上記通話データの送信に応答した監視装置を記憶し、応答により上記インターホンユニットから受けた通話データを、記憶した監視装置に送信することを特徴とする請求項６記載の昇降機監視システム。
【発明の詳細な説明】
【技術分野】
【０００１】
この発明は、昇降機の状態を監視装置に表示する昇降機監視システムに関するものである。
【背景技術】
【０００２】
従来のエレベータの監視システムでは、複数台のかごの状態が複数台の表示器に表示される。また、運行制御指令データを表示器から入力することができる。（例えば、特許文献１参照）。
【０００３】
【特許文献１】特開平６−５６３６４号公報
【発明の開示】
【発明が解決しようとする課題】
【０００４】
上記のような従来の監視システムでは、全てのかごの状態に関する情報が全ての表示器に表示されるため、管理人は、表示された情報の中から自分が管理すべき昇降機の情報を探し出す手間がかかってしまう。特に、近年の大型ビルでは、商業エリア、オフィスエリア及び住居エリア等の複数のエリアが併設されることが多く、エリア毎に管理体制が異なる場合が多いため、従来の監視システムでは管轄外のエリアの情報まで表示されてしまい、必要な情報が探し出し難かった。
【０００５】
この発明は、上記のような課題を解決するためになされたものであり、管理の利便性を向上させることができる昇降機監視システムを得ることを目的とする。
【課題を解決するための手段】
【０００６】
この発明に係る昇降機監視システムは、昇降機の状態データを出力する複数の昇降機制御装置、状態データに基づいて昇降機の状態を表示する複数の監視装置、及び昇降機と監視装置とを対応付けるための対応情報を有し、昇降機制御装置から状態データを受けると、対応情報に基づいて、対応する監視装置に状態データを送信するサーバ装置を備えている。
【発明の効果】
【０００７】
この発明の昇降機監視システムは、サーバ装置により、対応する監視装置にのみ状態データが送信されるので、必要な情報のみが監視装置に表示されることになり、管理の利便性を向上させることができる。
【発明を実施するための最良の形態】
【０００８】
以下、この発明を実施するための最良の形態について、図面を参照して説明する。
実施の形態１．
図１はこの発明の実施の形態１による昇降機監視システムを示すブロック図である。図において、昇降機制御装置群１には、複数の昇降機制御装置が含まれている。各昇降機制御装置は、対応する昇降機、この例ではエレベータの運行を制御する。
【０００９】
各昇降機制御装置は、昇降機状態情報を出力する。昇降機状態情報には、昇降機の状態を示す状態データと、昇降機を識別するための識別情報である昇降機識別ＩＤとが含まれている。状態データには、例えば昇降機の進行方向データ、運行モードデータ（自動、休止等）、エレベータドアの開閉状態データ、及び異常状態データ等が含まれている。昇降機識別ＩＤは、昇降機毎にユニークに割り当てられた識別番号であり、昇降機制御装置が予め保持している。
【００１０】
昇降機制御装置群１からの昇降機状態情報は、サーバ装置２を介して監視装置群３に送信される。監視装置群３には、複数の監視装置が含まれている。監視装置は、状態データに基づいて昇降機の状態を表示する。サーバ装置２は、昇降機と監視装置とを対応付けるための対応情報を有し、昇降機制御装置から状態データを受けると、対応情報に基づいて、対応する監視装置に状態データを送信する。
【００１１】
サーバ装置２は、状態情報入力手段４、識別ＩＤ記憶手段５、監視装置決定手段６及び出力手段７を有している。状態情報入力手段４は、昇降機制御装置群１からの昇降機状態情報を受信し、監視装置決定手段６に出力する。識別ＩＤ記憶手段５は、例えば図２に示すような形式で対応情報（対応表）を記憶している。図２の例では、昇降機識別ＩＤが「１Ａ」〜「１Ｄ」である昇降機が、監視装置識別ＩＤが「２Ａ」である監視装置に対応しており、昇降機識別ＩＤが「１Ｅ」〜「１Ｇ」である昇降機が、監視装置識別ＩＤが「２Ｂ」である監視装置に対応している。監視装置識別ＩＤは、監視装置毎にユニークに割り当てられている。
【００１２】
監視装置決定手段６は、対応情報に基づいて、昇降機識別ＩＤに対応する監視装置識別ＩＤを取得し、取得した監視装置識別ＩＤを昇降機状態情報に付加した後、出力手段７に出力する。出力手段７は、監視装置決定手段６から受けた情報を監視装置識別ＩＤ毎に分離し、対応する監視装置に送信する。
【００１３】
ここで、サーバ装置２は、演算処理部（ＣＰＵ）、記憶部（ＲＯＭ、ＲＡＭ及びハードディスク等）及び信号入出力部を持ったコンピュータ（図示せず）を有している。そして、状態情報入力手段４、識別ＩＤ記憶手段５、監視装置決定手段６及び出力手段７の機能は、コンピュータにより実現される。このため、コンピュータの記憶部には、サーバ装置２の機能を実現するためのプログラムが格納されている。
【００１４】
図３は図１の監視装置群３に含まれる監視装置のモニタに表示される内容の一例を示す説明図であり、図２の監視装置識別ＩＤが「２Ａ」である監視装置の表示内容を（ａ）に、監視装置識別ＩＤが「２Ｂ」である監視装置の表示内容を（ｂ）に示している。
【００１５】
モニタの画面には、号機名（１Ａ号機〜１Ｇ号機）、階床名（１階〜４階、Ｂ２〜２階）、及び各かごに対応したかご表示マーク８ａ〜８ｇが表示されている。かご表示マーク８ａ〜８ｇは、対応するかごの昇降に応じて移動する。
【００１６】
また、かご表示マーク８ａ〜８ｇの上部又は下部には、対応するかごが向かっている方向を示す三角形（方向表示部）が付されている。図３では、１Ａ号機、１Ｄ号機及び１Ｇ号機のかごが下方向へ、１Ｂ号機、１Ｃ号機、１Ｅ号機及び１Ｆ号機のかごが上方向へ向かっていることを示している。さらに、かご表示マーク８ａ〜８ｇは、対応するかごのドアの開閉状態を表示する。図３では、１Ａ号機、１Ｂ号機、１Ｆ号機及び１Ｇ号機のかごが戸閉状態、１Ｃ号機、１Ｄ号機及び１Ｅ号機のかごが戸開状態であることを表示している。
【００１７】
なお、サーバ装置２及び監視装置群３は、例えば建物のビル防災センタ等に設置されている。
【００１８】
このような昇降機監視システムでは、サーバ装置２により、対応する監視装置にのみ状態データが送信されるので、必要な情報のみが監視装置に表示されることになり、管理の利便性を向上させることができる。
【００１９】
実施の形態２．
次に、図４はこの発明の実施の形態２による昇降機監視システムを示すブロック図である。図において、非常用インターホン群１１には、複数の非常用インターホンが含まれている。各非常用インターホンは、かご内に設けられている。非常用インターホン群１１は、インターホンユニット１２に接続されている。インターホンユニット１２は、例えば建物のビル防災センタ等に設置されている。
【００２０】
非常用インターホン群１１に含まれる非常用インターホンから通話呼び出しがあると、インターホンユニット１２から状態情報入力手段４にインターホン状態情報が入力される。インターホン状態情報には、インターホン識別ＩＤと通話データとが含まれている。
【００２１】
インターホン識別ＩＤは、非常用インターホン毎にユニークに割り当てられた識別番号であり、インターホンユニット１２が予め保持している。通話データは、非常用インターホンの通話状態を示すデータであり、「通話呼び出し」、「通話開始」又は「待機中」のいずれかである。例えば、非常用インターホンから通話呼び出しが発生した場合の通話データは、「通話呼び出し」である。
【００２２】
識別ＩＤ記憶手段５は、例えば図５に示すような形式で対応情報（対応表）を記憶している。図５の例では、昇降機識別ＩＤが「１Ａ」〜「１Ｇ」である昇降機が、インターホン識別ＩＤが「１Ａ」〜「１Ｇ」である非常用インターホンに対応している。そして、インターホン識別ＩＤが「１Ａ」〜「１Ｄ」である非常用インターホンが、監視装置識別ＩＤが「２Ａ」である監視装置に対応しており、インターホン識別ＩＤが「１Ｅ」〜「１Ｇ」である非常用インターホンが、監視装置識別ＩＤが「２Ｂ」である監視装置に対応している。
【００２３】
状態情報入力手段４は、インターホンユニット１２からのインターホン状態情報を受信し、監視装置決定手段６に出力する。監視装置決定手段６は、対応情報に基づいて、インターホン識別ＩＤに対応する監視装置識別ＩＤを取得し、取得した監視装置識別ＩＤをインターホン状態情報に付加した後、出力手段７に出力する。出力手段７は、監視装置決定手段６から受けた情報を監視装置識別ＩＤ毎に分離し、対応する監視装置に送信する。
【００２４】
監視装置群３に含まれる監視装置は、サーバ装置２からインターホン状態情報が入力されると、モニタ上に非常用インターホンの状態を表示する。具体的には、入力された通話データが「通話呼び出し」の場合は「呼出中」、通話データが「通話開始」の場合は「通話中」、通話データが待機中の場合は「待機中」と表示する。
【００２５】
監視装置は、通話情報を入力可能になっている。監視装置に入力された通話情報は、サーバ装置２に送信される。サーバ装置２には、実施の形態１における機能に加えて、通話情報通信手段１３の機能が付加されている。通話情報通信手段１３は、監視装置からの通話情報を受信し、インターホンユニット１２に出力する。このような通話情報通信手段１３の機能は、サーバ装置２のコンピュータにより実現される。
【００２６】
各監視装置には、非常用インターホンと通話をするための受話器１４が設けられている（図では受話器１４を１つのみ示す）。インターホンユニット１２は、非常用インターホンからの呼び出しに応答する旨の通話情報がサーバ装置２から入力されると、インターホン識別ＩＤに対応する非常用インターホンと受話器１４との通話線を接続し、通話が可能な状態にするとともに、入力されたインターホン識別ＩＤに「通話開始」を意味する通話データを付加したインターホン状態情報を作成し、状態情報入力手段４に出力する。
【００２７】
図６は図４の監視装置群３に含まれる監視装置のモニタに表示される内容の一例を示す説明図であり、図５の監視装置識別ＩＤが「２Ａ」である監視装置の表示内容を（ａ）に、監視装置識別ＩＤが「２Ｂ」である監視装置の表示内容を（ｂ）に示している。
【００２８】
モニタの画面には、実施の形態１と同様の内容に加えて、インターホン状態表示ボタン９ａ〜９ｇが表示されている。管理人は、マウスやキーボード等の入力装置を用いて、インターホン状態表示ボタン９ａ〜９ｇを指定することにより、通話情報を監視装置に入力することができる。
【００２９】
例えば「呼出中」と表示されたインターホン状態表示ボタン９ａを指定することにより、非常用インターホンからの呼び出しに応答する旨の通話情報がサーバ装置２を介してインターホンユニット１２に送られ、１Ａ号機の非常用インターホンと受話器との通話が可能となる。これにより、インターホンユニット１２からサーバ装置２を介して「通話開始」を意味する通話データが監視装置に入力され、インターホン状態表示ボタン９ａの表示内容が「通話中」に切り替えられる。
【００３０】
また、通話を終了する場合、管理人は、「通話中」と表示されたインターホン状態表示ボタン９ａ〜９ｇを例えばマウスによりクリックする。これにより、監視装置は、インターホン状態表示ボタン９ａ〜９ｇに対応するインターホン識別ＩＤに「通話終了」を意味する通話データを付加した通話情報を作成する。
【００３１】
この通話情報は、通話情報通信手段１３を介してインターホンユニット１２に送られ、対応する非常用インターホンと受話器１４との接続が外される。これとともに、インターホンユニット１２は、入力されたインターホン識別ＩＤに「待機中」を意味する通話データを付加したインターホン状態情報を作成する。作成されたインターホン状態情報は、サーバ装置２を介して対応する監視装置に入力され、これにより対応するインターホン状態表示ボタン９ａ〜９ｇの表示内容が「待機中」に切り替えられる。なお、昇降機の状態監視に関する構成及び動作は、実施の形態１と同様である。
【００３２】
このような昇降機監視システムでは、サーバ装置２により、対応する監視装置にのみ通話データが送信されるので、管理対象となる非常用インターホンのみの通話状態が監視装置に表示されることになり、管理の利便性を向上させることができる。
また、監視装置には、インターホン状態表示ボタン９ａ〜９ｇが表示されており、インターホン状態表示ボタン９ａ〜９ｇを選択することにより、通話情報を入力可能であるため、インターホン通話を行う際の監視装置側での操作性を向上させることができる。
【００３３】
実施の形態３．
次に、図７はこの発明の実施の形態３による昇降機監視システムを示すブロック図である。図において、サーバ装置２は、インターホンユニット１２から通話データを受けると、対応する監視装置と他の監視装置とに異なる優先度情報を付加した通話データを送信する。監視装置は、優先度情報に応じて非常用インターホンの通話状態を表示する。サーバ装置２には、実施の形態２における機能に加えて、監視装置記憶手段１５の機能が付加されている。監視装置記憶手段１５の機能は、サーバ装置２のコンピュータにより実現される。
【００３４】
出力手段７は、「通話呼び出し」を意味する通話データを受けると、インターホン状態情報から監視装置識別ＩＤを分離するとともに、分離した監視装置識別ＩＤに対応する監視装置へは優先度「高」を意味する優先度情報を付加したインターホン状態情報を送信する。また、分離した監視装置識別ＩＤに対応しない監視装置へは、優先度「低」を意味する優先度情報を付加したインターホン状態情報を送信する。
【００３５】
監視装置は、インターホン状態情報を受信すると、インターホン状態表示ボタン９ａ〜９ｇの表示内容を「呼出中」に切り替える。このとき、優先度「高」の優先度情報を受けた監視装置では、「呼出中」の表示に加えて、インターホン状態表示ボタン９ａ〜９ｇの色を変化させる。
【００３６】
通話を開始する場合、管理人は、「呼出中」の表示のインターホン状態表示ボタン９ａ〜９ｇをマウスで選択しクリックする。これにより、監視装置は、選択されたインターホン状態表示ボタン９ａ〜９ｇに対応するインターホン識別ＩＤに、「通話開始」を意味する通話データと監視装置識別ＩＤとを付加した通話情報を作成し、サーバ装置２の通話情報通信手段１３に出力する。
【００３７】
通話情報通信手段１３は、入力された通話情報を監視装置記憶手段１５に出力した後、監視装置識別ＩＤを取り除いた通話情報をインターホンユニット１２に出力する。
【００３８】
また、出力手段７は、「通話開始」を意味する通話データを受けると、インターホン状態情報から監視装置識別ＩＤを取り除いた後、監視装置記憶手段１５に記憶された通話情報から、実際に応答した監視装置の監視装置識別ＩＤを入手し、監視装置記憶手段１５から入手した監視装置識別ＩＤに対応する監視装置にインターホン状態情報を送信する。このとき、監視装置識別ＩＤを入手する際に使用した通話情報は、監視装置記憶手段１５から削除する。
【００３９】
通話を終了する場合、管理人は、「通話中」の表示のインターホン状態表示ボタン９ａ〜９ｇをマウスで選択しクリックする。これにより、監視装置は、選択されたインターホン状態表示ボタン９ａ〜９ｇに対応するインターホン識別ＩＤに、「通話終了」を意味する通話データと監視装置識別ＩＤとを付加した通話情報を作成し、サーバ装置２の通話情報通信手段１３に出力する。
【００４０】
通話情報通信手段１３は、入力された通話情報を監視装置記憶手段１５に出力した後、監視装置識別ＩＤを取り除いた通話情報をインターホンユニット１２に出力する。
【００４１】
また、出力手段７は、「待機中」を意味する通話データを受けると、インターホン状態情報から監視装置識別ＩＤを取り除いた後、監視装置記憶手段１５に記憶された通話情報から、実際に通話していた（通話を終了した）監視装置の監視装置識別ＩＤを入手し、監視装置記憶手段１５から入手した監視装置識別ＩＤに対応する監視装置にインターホン状態情報を送信する。このとき、監視装置識別ＩＤを入手する際に使用した通話情報は、監視装置記憶手段１５から削除する。他の構成及び動作は、実施の形態２と同様である。
【００４２】
このような昇降機監視システムでは、サーバ装置２は、インターホンユニット１２から通話データを受けると、対応する監視装置と他の監視装置とに異なる優先度情報を付加した通話データを送信し、監視装置は、優先度情報に応じて非常用インターホンの通話状態を表示するので、非常用インターホンから呼び出しがあった場合、管理対象と非管理対象とで異なる方法で管理人に知らせることができる。このため、本来監視すべき管理人が監視装置の前から席を外していた場合、他の管理者が非常用インターホンからの呼び出しに応答することができ、利用者の不安を低減させ、利便性を向上させることができる。
【００４３】
また、サーバ装置２は、通話データの送信に実際に応答した監視装置を記憶し、応答によりインターホンユニット１２から受けた通話データを、記憶しておいた監視装置に送信するので、非常用インターホンの通話状態の変化を適正に監視装置に反映させることができる。
【００４４】
なお、実施の形態３では、優先度情報に応じて監視装置における表示の色を変えたが、表示方法の変化はこれに限定されるものではなく、例えば優先度「低」の監視装置では「呼出中」の表示を開始するタイミングを遅らせる等の変化であってもよい。また、「呼出中」の表示を行う際に、優先度情報に応じて異なる音声を監視装置から発生させてもよい。
また、実施の形態３では、優先度情報を２段階としたが、３段階以上であってもよい。
さらに、上記の例では、昇降機と非常用インターホンとが１：１で対応しているが、１台の昇降機に複数の非常用インターホンを設けてもよい。例えば、ダブルデッキエレベータでは、上かごと下かごとにそれぞれ非常用インターホンを設けてもよい。また、かご以外の場所に非常用インターホンを設置することも可能である。
さらにまた、上記の例では、昇降機としてエレベータを監視する昇降機監視システムを示したが、エスカレータや動く歩道を監視するシステムにもこの発明は適用できる。
【図面の簡単な説明】
【００４５】
【図１】この発明の実施の形態１による昇降機監視システムを示すブロック図である。
【図２】図１のサーバ装置が保持する対応情報の一例を示す説明図である。
【図３】図１の監視装置群に含まれる監視装置のモニタに表示される内容の一例を示す説明図である。
【図４】この発明の実施の形態２による昇降機監視システムを示すブロック図である。
【図５】図４のサーバ装置が保持する対応情報の一例を示す説明図である。
【図６】図４の監視装置群に含まれる監視装置のモニタに表示される内容の一例を示す説明図である。
【図７】この発明の実施の形態３による昇降機監視システムを示すブロック図である。
【符号の説明】
【００４６】
１  昇降機制御装置群、２  サーバ装置、３  監視装置群、１１  非常用インターホン群、１２  インターホンユニット、１４  受話器。
【図１】
2007168973.tif 000003
【図２】
2007168973.tif 000004
【図３】
2007168973.tif 000005
【図４】
2007168973.tif 000006
【図５】
2007168973.tif 000007
【図６】
2007168973.tif 000008
【図７】
2007168973.tif 000009